(57)【要約】【課題】容量の制約がある条件下においても、レンダリング素材に対する適切な再編集及び再生を可能とする。【解決手段】素材中の使用されている区間を編集データに基づいてカットとして特定するカット特定手段１０３と、カット特定手段１０３において特定したカットの長さからカットを複数のファイルに分断するか否かを判断するファイル分断判定手段１０４と、ファイル分断判定手段１０４での判定結果に応じて、編集結果として生成されるレンダリング素材のファイル構成を決定するファイル構成決定手段１０５と、素材のファイルのうちカットとして使用される部分をファイル構成決定手段１０５で決定したファイル構成のファイルにコピーするファイルコピー手段１０７と、ファイル分断判定手段１０４での判定結果に応じて、分断されたかどうかのマークである分断マークをカットのファイルに付与する分断マーク付与手段１０６とを具備する構成とした。【選択図】図１
2007150794.tif 000002
【特許請求の範囲】
【請求項１】
素材に対して使用する区間であるカットの情報を編集データとして作成する編集装置であって、
前記素材中の使用されている区間を前記編集データに基づいてカットとして特定するカット特定手段と、
前記カット特定手段において特定したカットの長さから前記カットを複数のファイルに分断するか否かを判断するファイル分断判定手段と、
前記ファイル分断判定手段での判定結果に応じて、編集結果として生成される編集結果素材のファイル構成を決定するファイル構成決定手段と、
前記素材のファイルのうちカットとして使用される部分を前記ファイル構成決定手段で決定したファイル構成のファイルにコピーするファイルコピー手段と、
前記ファイル分断判定手段での判定結果に応じて、分断されたかどうかのマークである分断マークを前記カットのファイルに付与する分断マーク付与手段とを具備する編集装置。
【請求項２】
素材を編集した結果として生成され、単一のカットが複数のファイルに分断された場合に前記ファイルに分断マークが付与されている編集結果素材を再生するための再生装置であって、
前記編集結果素材中の前記分断マークを取得する分断マーク取得手段と、
前記分断マーク取得手段により取得した前記分断マークに応じて、ファイルの切れ目で音声をフェードするか判断するフェード判定手段と、
前記編集結果素材を構成するファイルを読み込むファイル読み込み手段と、
前記読み込み手段で読み込んだファイルのデータを、前記フェード判定手段がフェードすると判定したファイルの切れ目では音声をフェードし、フェードしないと判定したファイルの切れ目では音声をフェードしないで出力する音声出力手段を具備する再生装置。
【請求項３】
前記編集結果素材中の前記分断マークを取得する分断マーク取得手段と、
前記分断マーク取得手段が取得した分断マークに応じて、分断マークの付与されたファイルの切れ目を変更可能箇所として表示し、分断マークの付与されていないファイルの切れ目は前後のファイルを１つのファイルとして表示する編集情報表示手段と、
前記カットの変更要求を受け付ける変更受付手段と、
前記変更受付手段が受け付けた変更内容を前記編集結果素材に反映する変更反映手段とを具備する請求項１記載の編集装置。
【請求項４】
請求項１記載の編集装置によって作成された前記分断マークが付与可能な編集結果素材フォーマット。
【発明の詳細な説明】
【技術分野】
【０００１】
本発明は、レンダリングされた後の素材（レンダリング素材）を再編集するためのフォーマットおよびレンダリング素材を作成、再生、再編集する編集装置および再生装置に関する。
【背景技術】
【０００２】
映像制作分野において、リニア制作環境では、映像及び音声のデータからなる素材を仮編集した結果をＥＤＬ（Ｅｄｉｔ  Ｄｅｃｉｓｉｏｎ  Ｌｉｓｔ）等の編集データとして記録し、このＥＤＬをもとにオンライン編集を行って、完パケテープを作るのが一般的である。
【０００３】
ノンリニア制作環境では、ノンリニア編集機によって、素材に対してＩＮ点及びＯＵＴ点を指定することで使用するカットを切り出して、それらを順番につなぎ合わせるカット編集を行う。また、付加する映像効果の内容や場所を指定する。これらの情報よりＥＤＬやＡＡＦ（Ａｄｖａｎｃｅｄ  Ａｕｔｈｏｒｉｎｇ  Ｆｏｒｍａｔ）等の編集データを作成する。そして素材を編集データに基づいて再生したものを記録することにより、完パケテープを作成している。
【０００４】
近年は、映像及び音声を半導体メモリやＨＤＤなどのランダムアクセス可能な記録媒体上に、ＡＶＩ（Ａｕｄｉｏ  Ｖｉｄｅｏ  Ｉｎｔｅｒｌｅａｖｉｎｇ）やＭＸＦ（Ｍａｔｅｒｉａｌ  Ｅｘｃｈａｎｇｅ  Ｆｏｒｍａｔ）等の形式のファイルとして記録し、そのファイルを再生するような再生機も出てきている。通常、編集作業は編集データを作成した時点で完了するが、このような再生機で完パケを再生するために、ノンリニア編集機では素材と編集データとから編集結果をレンダリングし、上記のような形式のファイルからなるレンダリング素材（編集結果素材）を作成することもある。レンダリングは、編集データに基づいて素材を切り出して、それぞれをファイルとして記録することにより行われる。したがって、レンダリングにより作成されるレンダリング素材は、部分素材と呼ばれる複数のファイルからなる。
【０００５】
編集が完了したら、レンダリング素材は送出及びアーカイブされるのが一般的である。しかしながら、編集後のレンダリング素材に対して、全体の時間的な長さを微調整する場合がある。このようなときには、レンダリング素材を構成するカットをトリミングする、すなわちカットの前後を切り捨てることで微調整を行う。この作業は従来、ノンリニア編集機でレンダリング素材の元となる編集データを修正して、再度レンダリングを行うことにより行われていた。しかし近年は、ＭＸＦ形式のようにレンダリング素材にカット編集の情報を含めておき、カット編集の情報を変更することでカット長を微調整する方法も取られる。この方法では、再レンダリングを行う必要はない。この場合、カット長の微調整は、部分素材の切れ目、すなわちファイルの切れ目にて行うことになる。
【０００６】
具体的な再編集の方法は次の通りである。まず、編集機が編集済みのレンダリング素材を模式的に画面に表示する。編集機は、ファイルの切れ目をカットの切れ目と認識し、その点を調整可能位置として画面に表示する。ユーザは、調整可能位置において前後のカットのＩＮ点、ＯＵＴ点を移動させ、最終的なレンダリング素材の長さを調整する。
【０００７】
再生機は本来、レンダリングされた映像を再生する機器である。したがって、編集データに記載された編集内容のうち、複雑な映像効果を再生機で再生するのは困難であるが、カット編集の情報を再生することは比較的容易である。編集データのうちカット編集の情報、すなわち素材に対するＩＮ点、ＯＵＴ点の情報については、素材と編集データとから、もしくは編集データを含んだレンダリング素材から映像を再生することができる。たとえば、特許文献１には、ひとつの記録媒体には記録しきれないような連続する映像信号又は音声信号のストリームを、複数の記録媒体にわたって記録する方法が示されている。それぞれの記録媒体に記録されたストリームを含むファイルには、前後のストリームを含むファイルの情報が書かれており、それを参照することで複数の記録媒体にわたって記録されたストリームをシームレスに再生することができる。
【０００８】
編集された結果を再生する際には、カットとカットのつなぎ目で音声が不連続な点ができ、これが雑音となって聞こえることがある。これを防止するため、その音声の不連続点に対してフェードをかけて再生するのが一般的である。これは、編集データを元に素材を再生する際にカットのつなぎ目に対してフェードをかけたり、レンダリングする際にフェードをかけた音声を記録したり、またはレンダリング時にはフェードをかけずに、レンダリング素材を再生する際に再生機が部分素材のつなぎ目でフェードをかけるのが一般的である。フェードは音声に対する比較的簡単な処理であるため、編集機だけでなく再生機でも対応可能である。レンダリング素材においては、レンダリング時にはフェードをかけずに再生時にフェードをかける方法のほうが、再編集が容易となるという利点がある。
【特許文献１】特開２００４−３５５７９４号公報
【発明の開示】
【発明が解決しようとする課題】
【０００９】
ＦＡＴ３２などのファイルシステムや記録媒体の容量などの制限により、レンダリング素材を記録媒体に記録する際に、本来のカット切れ目以外のところでファイルを分割せざるを得なくなることがある。すなわち、レンダリング素材を構成する部分素材を、複数のファイルに分割して記録することになる。
【００１０】
しかしながら、レンダリング素材を構成する部分素材のファイルがカットの切れ目以外で分割されると、再編集や再生機での再生において、適切に処理を行えないという問題点があった。
【００１１】
具体的には次のような問題点があった。すなわち、再編集時にはファイルの切れ目をカットの切れ目として認識していた。そして編集機の画面に切れ目の点を表示し、ユーザがそれを確認して任意の点でトリミングを行っていた。しかしながら、カットの切れ目以外でファイルが分割されていると、その点をカットの切れ目と誤認識してトリミング可能な点として表示してしまい、誤った編集を行ってしまう可能性があった。
【００１２】
また、従来はレンダリング素材の再生時において、ファイルの切れ目をカットの切れ目として認識してその点でフェードをかけるようにしていた。しかしながら、カットの切れ目以外でファイルが分割されていると、その点をカットの切れ目と誤認識してフェードがかかってしまうという問題点があった。
【００１３】
上記課題に鑑み本発明は、ファイルシステムや記録媒体の容量の制約がある条件下においても、レンダリング素材に対する適切な再編集及び再生を可能とすることが目的である。
【課題を解決するための手段】
【００１４】
上記課題を解決するために本発明の編集装置は、素材に対して使用する区間であるカットの情報を編集データとして作成する編集装置であって、素材中の使用されている区間を編集データに基づいてカットとして特定するカット特定手段と、カット特定手段において特定したカットの長さからカットを複数のファイルに分断するか否かを判断するファイル分断判定手段と、ファイル分断判定手段での判定結果に応じて、編集結果として生成される編集結果素材のファイル構成を決定するファイル構成決定手段と、素材のファイルのうちカットとして使用される部分をファイル構成決定手段で決定したファイル構成のファイルにコピーするファイルコピー手段と、ファイル分断判定手段での判定結果に応じて、分断されたかどうかのマークである分断マークをカットのファイルに付与する分断マーク付与手段とを具備する構成とした。
【発明の効果】
【００１５】
本発明によれば、レンダリング素材を再編集する際、適切な調整可能位置を提示することができる。また、レンダリング素材の適切な位置でフェードをかけることで自然な再生ができるようになる。
【発明を実施するための最良の形態】
【００１６】
本実施の形態では、編集結果をレンダリングし、レンダリングしてできるレンダリング素材を再生、再編集する過程を説明する。本実施の形態で説明する編集装置は、編集過程において、蓄積されている素材に対し、使用する区間をカットとして特定し、これを編集結果として編集データに保存する。そして、素材と編集データとからレンダリングを行い、これを再生機で再生可能なレンダリング素材（編集結果素材）として出力する。
【００１７】
まず、レンダリングする過程を図１と図２を用いて説明する。
【００１８】
図１に、本発明の編集機のブロック図を示す。図２に、本発明の編集機におけるレンダリング過程でのデータの具体例を示す。編集データ記憶手段１０１は、編集機が持っている独自の編集データ１１３を記憶しておく手段であり、半導体メモリやＨＤＤ、光ディスク等の記憶媒体等で構成される。本例では編集データにワイプやＡＶスプリットなどの複雑な編集内容は含まれておらず、単純なカット編集のみであると仮定する。
【００１９】
素材記憶手段１０２は、編集データ１１３から参照されている素材を記憶しておく手段であり、半導体メモリやＨＤＤ、光ディスク等の記憶媒体等で構成される。素材は、テープからディジタイズされた素材であったり、半導体メモリやＨＤＤ、光ディスクに撮影された後で編集機にコピーされた素材であったりする。本実施の形態では、素材の具体例として素材１１１、１１２を挙げて説明する。
【００２０】
レンダリング素材記憶手段１０８は、本発明の編集機がレンダリングした結果として作成したファイルを記憶しておくための手段であり、半導体メモリやＨＤＤ、光ディスク等の記憶媒体等で構成される。
【００２１】
図２の素材１１１は１３分の素材であり、３分から１２分までが編集データ１１３から参照されている。素材１１２は５分の素材であり、０分から３分までが編集データ１１３から参照されている。それぞれの素材ファイルのビットレートは１００Ｍｂｐｓであり、コピー先であるレンダリング素材記憶手段１０８のファイルシステムはＦＡＴ３２とする。ＦＡＴ３２では最大のファイル長が４ＧＢまでという制約がある。４ＧＢに格納可能な時間は約５分であるため、１ファイルに格納可能な最大時間は約５分である。
【００２２】
カット特定手段１０３は、編集データ記憶手段１０１に記憶されている編集データ１１３を参照し、各素材の使用区間をカットとして特定する。本実施の形態の例においては、カット特定手段１０３は、素材１１１についてはＩＮ点を示すＩＮ＝３分、ＯＵＴ点を示すＯＵＴ＝１２分、カットの持続時間を示すＤｕｒａｔｉｏｎ＝９分を、素材１１２についてはＩＮ＝０分、ＯＵＴ＝３分、Ｄｕｒａｔｉｏｎ＝３分を、それぞれ編集データ１１３から取得する。
【００２３】
カット特定手段１０３が特定した素材中のカットは、ファイルとしてレンダリング素材記憶手段１０８にコピーされるのであるが、ファイル分断判定手段１０４は、カット特定手段１０３で特定したカットのＤｕｒａｔｉｏｎから、コピー時にファイルを分断すべきか、すなわちコピー先のファイルを複数ファイルから構成すべきかどうか判断する。１ファイルに格納可能な最大時間は約５分なので、５分を分断の判断基準とする。素材１１１の使用区間のＤｕｒａｔｉｏｎは９分であるため、このカットは５分と４分に分割する必要があると判断し、素材１１２の使用区間のＤｕｒａｔｉｏｎは３分であるため、分割の必要なしと判断する。
【００２４】
ファイル構成決定手段１０５は、ファイル分断判定手段１０４での判定結果に応じてレンダリング素材のファイル構成を決定する。ファイル構成決定手段１０５は、最終的にファイルコピー手段１０７が、どのように素材からカットを読み出してレンダリング素材を作成すべきかを決定する。概念的には、仮想的に時系列にカットのファイルを並べることでレンダリング素材１１４を構成する。レンダリング素材の中で、１つのファイルが占めている区間を部分素材と呼ぶ。レンダリング素材１１４は、部分素材１１５，１１６，１１７から構成されている。部分素材１１５と部分素材１１６は、素材１１１から切り出されたひとつのカットを、ファイル分断判定手段により２つに分断することとしたものである。部分素材には名前がついており、それがファイル名と連動している。部分素材１１５は“１１５”、部分素材１１６は“１１６”、部分素材１１７は“１１７”という名前をつけるものとする。また、部分素材のメタデータをＸＭＬファイルに記述し、ＡＶファイルをＡＶＩファイルに記憶し、これらのファイルはレンダリング素材記憶手段１０８に記憶するものとする。各部分素材のメタデータファイルは１１５．ＸＭＬ、１１６．ＸＭＬ、１１７．ＸＭＬ、ＡＶファイルは１１５．ＡＶＩ、１１６．ＡＶＩ、１１７．ＡＶＩとなる。
【００２５】
分断マーク付与手段１０６は、その部分素材が分断されてできたのかどうかを各部分素材に付与する手段である。図３はレンダリング素材１１４を構成する各部分素材のメタデータを表している。Ｎａｍｅ要素は部分素材の名前を、Ｄｕｒａｔｉｏｎは部分素材の長さを、Ｒｅｌａｔｉｏｎ要素は前後の関係を表している。Ｎｅｘｔ要素はその部分素材の後に続く部分素材の名前を、Ｐｒｅｖｉｏｕｓ要素はその部分素材の前の部分素材の名前を記録している。ＣｏｎｔｉｎｕｏｕｓＦｌａｇ属性は、分断マークを表し、分断されていればｔｒｕｅ、分断されていなければｆａｌｓｅを記録する。部分素材１１５と部分素材１１６は分断されているので、部分素材１１６のＣｏｎｔｉｎｕｏｕｓＦｌａｇ属性はｔｒｕｅになり、部分素材１１６と部分素材１１７は分断されていない（もともと別の素材である）ので部分素材１１７のＣｏｎｔｉｎｕｏｕｓＦｌａｇ属性はｆａｌｓｅになる。
【００２６】
ファイルコピー手段１０７は、実際にカット特定手段１０３で特定したカットを素材から読み出し、ファイル構成決定手段１０５で決定した各部分素材のファイルへデータをコピーする。素材１１１のＡＶデータファイルが１１１．ＡＶＩであるとすると、１１１．ＡＶＩの３分から８分までの５分間のデータを１１５．ＡＶＩにコピーする。同様に１１１．ＡＶＩの８分から１２分までの４分間のデータを１１６．ＡＶＩへ、１１２．ＡＶＩの０分から３分までの３分間のデータを１１７．ＡＶＩへコピーする。部分素材のメタデータファイルは、コピーの時点でファイルコピー手段が作成してレンダリング素材記憶手段１０８に記録する。また、このファイルのコピー時に、分断マーク付与手段は実際に分断マークを付与すべき部分素材に分断マークを付与していく。
【００２７】
以上、部分素材１１５、１１６、１１７のＸＭＬファイルとＡＶＩファイルの作成が完了するとレンダリングは終了する。
【００２８】
次に、レンダリングでできた素材を再生する過程について、図４を用いて説明する。
【００２９】
図４に、本発明の再生機のブロック図を示す。レンダリング素材記憶手段１０８は、編集機で作成したレンダリング素材１１４を記憶している。分断マーク取得手段２０１はレンダリング素材１１４を構成する各部分素材のメタデータファイルから、分断マークを検出する。分断マーク取得手段２０１は、部分素材１１６のＣｏｎｔｉｎｕｏｕｓＦｌａｇがｔｒｕｅであるため、部分素材１１５と部分素材１１６は分断されたことを検出し、部分素材１１７のＣｏｎｔｉｎｕｏｕｓＦｌａｇがｆａｌｓｅであるため、部分素材１１６と部分素材１１７は分断されていないことを検出する。
【００３０】
フェード判定手段２０２は、各部分素材のつなぎ目でフェードするかどうかを判定する手段であり、２つの部分素材が分断されているときは、その位置ではフェードをかけず、分断されていないときはフェードをかけると判定する。本実施の形態での例では、部分素材１１５と部分素材１１６の間はフェードをかけず、部分素材１１６と部分素材１１７の間はフェードをかける。これにより部分素材１１５と部分素材１１６の間は音が途切れることなく再生し、部分素材１１６と部分素材１１７の間は雑音が乗ることなく再生することができる。
【００３１】
ファイル読み込み手段２０３は、レンダリング素材記憶手段１０８からレンダリング素材１１４を構成する部分素材のＡＶファイルを読み込む。本実施の形態での例では、１１５．ＡＶＩ、１１６．ＡＶＩ、１１７．ＡＶＩを順次読み込む。
【００３２】
映像出力手段２０４は、ファイル読み込み手段２０３で読み込んだデータをデコードし、モニタなどに出力する。
【００３３】
音声出力手段２０５は、ファイル読み込み手段２０３で読み込んだデータをスピーカなどに出力する。その際、フェード判定手段２０２にフェードすると判定されたものはそのつなぎ目でフェードをかけて出力する。本実施の形態の例では、部分素材１１６と部分素材１１７の間はフェードをかけて出力される。
【００３４】
最後に、再編集の過程について、図５を用いて説明する。
【００３５】
図５に、本発明の編集機における、再編集に関する部分のブロック図を示す。レンダリング素材記憶手段１０８及び分断マーク取得手段２０１は、前述の編集機及び再生機におけるものと同様であり、説明は省略する。編集情報表示手段３０１は、素材がどのように編集されているかを視覚的に表示する手段で、分断マーク取得手段２０１での結果に応じて表示内容を変える。図６に、編集情報表示手段３０１のＧＵＩ表示画面の例を示す。左端のＶは映像チャンネル、Ａ１、Ａ２は２つの音声チャンネルを示す。横軸が時間軸となっており、０分から９分までが、部分素材１１５及び部分素材１１６で構成され、９分から１２分までが部分素材１１７で構成されていることを示している。編集情報表示手段３０１は、部分素材１１６のメタデータファイルである１１６．ＸＭＬに分断マークがあるので、部分素材１１５及び部分素材１１６の２つの部分素材を同一の素材とみなして、図６のように切れ目を表示せずにひとつの部分素材として表示する。一方、１１７．ＸＭＬには分断マークがないので、部分素材１１６及び部分素材１１７は別の素材とみなし、部分素材１１６と部分素材１１７の間に相当する図６の９分の地点をトリミング可能ポイント（変更可能箇所）にする。
【００３６】
変更受付手段３０２は、ユーザによってキーボードやマウスなどから入力されたカット位置の変更を受け付ける手段である。本実施の形態では、ユーザが９分の地点のトリミング可能ポイントにおいて、部分素材１１６の終端を８分のところへ移動させたとする。なお、その際に、部分素材１１６より後ろの素材はトリミングした１分の分だけ前に移動する。すなわち、部分素材１１７の始端は８分の地点に移動し、終端は１１分の地点に移動する。
【００３７】
変更反映手段３０３は、変更受付手段３０２の変更内容をレンダリング素材１０８に反映させる手段である。図７に、再編集（トリミング）後の部分素材１１６のメタデータファイルの内容を示す。部分素材１１６の終端を９分の地点から８分に移動したとすると、図７のように１１６．ＸＭＬのＤｕｒａｔｉｏｎ要素を“４ｍｉｎ”から“３ｍｉｎ”へと書き換える。このような構成により、トリミングが可能な地点を適切に表示できるため、間違った地点でトリミング処理を行うことで再編集後の映像に不具合ができてしまうことを防止できる。
【産業上の利用可能性】
【００３８】
レンダリング素材を再編集する必要が出たときに利用可能である。
【図面の簡単な説明】
【００３９】
【図１】レンダリング素材を作成する編集機のシステム構成を示すブロック図
【図２】レンダリング過程でのデータの具体例を示す図
【図３】各部分素材のメタデータの例を示す図
【図４】レンダリング素材を再生する再生機のシステム構成を示すブロック図
【図５】レンダリング素材を再編集する編集機のシステム構成を示すブロック図
【図６】レンダリング素材のＧＵＩ表示画面の例を示す図
【図７】レンダリング素材を再編集した後の部分素材のメタデータの例を示す図
【符号の説明】
【００４０】
１０１  編集データ記憶手段
１０２  素材記憶手段
１０３  カット特定手段
１０４  ファイル分断判定手段
１０５  ファイル構成決定手段
１０６  分断マーク付与手段
１０７  ファイルコピー手段
１０８  レンダリング素材記憶手段
１１１  素材
１１２  素材
１１３  編集データ
１１４  レンダリング素材
１１５  部分素材
１１６  部分素材
１１７  部分素材
２０１  分断マーク取得手段
２０２  フェード判定手段
２０３  ファイル読み込み手段
２０４  映像出力手段
２０５  音声出力手段
３０１  編集情報表示手段
３０２  変更受付手段
３０３  変更反映手段
【図１】
2007150794.tif 000003
【図２】
2007150794.tif 000004
【図３】
2007150794.tif 000005
【図４】
2007150794.tif 000006
【図５】
2007150794.tif 000007
【図６】
2007150794.tif 000008
【図７】
2007150794.tif 000009